(57)【要約】【要約書】【課題】電子情報のみならず、文字情報をも更新可能なＲＦＩＤ荷札を得ると共に、使用後のＲＦＩＤ荷札の取り外しが容易となり、ＲＦＩＤ荷札の再使用が可能な配送表示セットを得る【解決手段】文字等を更新可能な表示面を有するＲＦＩＤ荷札２２と貼り付け用封筒２から構成されるＲＦＩＤ配送表示セットであって、貼り付け用封筒２は、透明な上シートと、裏面に粘着剤層を形成した下シートからなり、剥離紙を貼り合せて粘着剤層を覆い、上シートに、略平行な２本の開封用ミシン目６２ａ、６２ｂを形成し、２本の開封用ミシン目と２つの外周辺で囲まれる開封帯６２ｃの一部分に指掛手段８２を設け、前記下シートまたは貼り付け用封筒の一の側端部にＲＦＩＤ荷札２２の挿入口１８を有する貼り付け用封筒である。【選択図】  図１
0003110268.tif 000002
【実用新案登録請求の範囲】
【請求項１】
文字等を記入可能で、前記記入文字等の消去可能な表示面を有するＲＦＩＤカードからなるＲＦＩＤ荷札と貼り付け用封筒から構成されるＲＦＩＤ配送表示セットであって、
前記貼り付け用封筒は、略方形であって上シート、下シートと剥離紙からなり、
前記上シートは内容物が透視可能なシートであり、
前記下シートの裏面の略全面に粘着剤層を形成して、前記剥離紙を貼り合せて前記粘着剤層を覆い、
前記上シートに、前記上シートの対向する２つの外周辺を結び相互の間隔が３ｍｍ以上３０ｍｍ以下の略平行な２本の開封用ミシン目を形成し、前記２本の開封用ミシン目と前記２つの外周辺で囲まれる開封帯の一部分に指掛手段を設け、
前記下シートまたは前記封筒の一の側端部に前記ＲＦＩＤ荷札の挿入口を有する貼り付け用封筒であるＲＦＩＤ配送表示セット。
【請求項２】
文字等を記入可能で、前記記入文字等の消去可能な前記表示面が、加熱による文字記入と加熱による文字消去が可能な熱可逆性シートからなることを特徴とする請求項１に記載のＲＦＩＤ配送表示セット。
【請求項３】
ＲＦＩＤ荷札と貼り付け用封筒から構成されるＲＦＩＤ配送表示セットであって、
前記ＲＦＩＤ荷札は、ＲＦＩＤのインレイを含むカードに、文字等を記入した粘着ラベルを貼り付けたものであり、
前記貼り付け用封筒は、略方形であって上シート、下シートと剥離紙からなり、
前記上シートは内容物が透視可能なシートであり、
前記下シートの裏面の略全面に粘着剤層を形成して、前記剥離紙を貼り合せて前記粘着剤層を覆い、
前記上シートに、前記上シートの対向する２つの外周辺を結び相互の間隔が３ｍｍ以上３０ｍｍ以下の略平行な２本の開封用ミシン目を形成し、前記２本の開封用ミシン目と前記２つの外周辺で囲まれる開封帯の一部分に指掛手段を設け、
前記下シートまたは前記封筒の一の側端部に前記ＲＦＩＤ荷札の挿入口を有する貼り付け用封筒であるＲＦＩＤ配送表示セット。
【考案の詳細な説明】
【技術分野】
【０００１】
本考案は、被配送物にＲＦＩＤ荷札を付着し被配送物を配送した後に、ＲＦＩＤ荷札を再度別の配送に使用するＲＦＩＤ配送表示セットに関するものである。
【背景技術】
【０００２】
ＲＦＩＤは、ＩＣタグ、ＲＦタグ、無線タグ、電子タグなどとも呼ばれるもので、これを貼付された物などと、その物に関する情報とを一体化させる目的で使用される。インレイは、ＰＥＴなどの基材フィルム上にアンテナとアンテナに連結されたＩＣチップが固定されたＲＦＩＤの回路単位をいう。
【０００３】
従来のＲＦＩＤラベルの一例は、中央部に開口部を有するインレイと、インレイの外周よりも一回り大きいタック紙からなり、タック紙の粘着剤でインレイをタック紙に付着すると共に、残余の当該粘着剤でＲＦＩＤラベルを被着物に貼着するようにしたものである。（例えば、特許文献１参照。）。
従来のＲＦＩＤカードの一例は、ＲＦＩＤのインレイを合成樹脂製の薄板で挟持したものである。
これら従来のＲＦＩＤカードまたはラベルの表面は個別情報伝達のための面ではなく、通常、固定的な印刷面となっている。
【０００４】
一方、従来宅配便や各種配送品において、被配送品に個別の番号を付与し、配送伝票に当該番号に相当するバーコードを記入して、バーコードを読みとることにより配送状況を管理することが行われている。
【特許文献１】特開２００２−３４２７２８号公報
【考案の開示】
【考案が解決しようとする課題】
【０００５】
被配送品にＲＦＩＤを付属させて被配送品とともに配送すれば、配送状況の管理が容易になる。また、被配送品とともに、バーコードに比較してはるかに多量の情報、例えば納品書に記載される品名、数量、金額などの情報も電子データの形式で、同時に配送可能となる。
一方、ＲＦＩＤはＩＣチップに記録されるデータを書き換えることができる。使用済みＲＦＩＤカードまたはラベルを回収し、カードまたはＲＦＩＤインレイを再利用すれば環境に負荷とならず、費用も節約できる。
【０００６】
しかし、従来のＲＦＩＤカードまたはラベルは、その表面に固定的な情報が印刷されていて、宛先などを視認するためには、ＲＦＩＤカードまたはラベルとは別に、宛名が記載された配送表などが必要であった。
また、従来のＲＦＩＤカードまたはラベルは、カード台紙や被配送物に強固に接着または粘着しており、被配送物から外し別の配送に再使用するために、インレイを傷つけることなく、カードまたはインレイを被配送品から取り出すことは困難であった。
【０００７】
そこで、本考案は電子情報を有するＲＦＩＤカードと視認可能な文字情報を一体化し、電子情報のみならず、文字情報をも更新可能なＲＦＩＤ荷札を得ると共に、被配送物に付属された状態で当該文字情報が視認可能であり、使用後のＲＦＩＤ荷札の取り外しが容易となり、ＲＦＩＤ荷札（またはＲＦＩＤカード）の再使用が容易な配送表示セットを得ることを課題とする。
その他の本考案の課題は、以下の本考案の説明より明らかになる。
【課題を解決するための手段】
【０００８】
上記の課題を解決するため、本考案の一の態様にかかるＲＦＩＤ配送表示セットは、文字等を記入可能で、前記記入文字等の消去可能な表示面を有するＲＦＩＤカードからなるＲＦＩＤ荷札と貼り付け用封筒から構成されるＲＦＩＤ配送表示セットであって、前記貼り付け用封筒は、略方形であって上シート、下シートと剥離紙からなり、前記上シートは内容物が透視可能なシートであり、前記下シートの裏面の略全面に粘着剤層を形成して、前記剥離紙を貼り合せて前記粘着剤層を覆い、前記上シートに、前記上シートの対向する２つの外周辺を結び相互の間隔が３ｍｍ以上３０ｍｍ以下の略平行な２本の開封用ミシン目を形成し、前記２本の開封用ミシン目と前記２つの外周辺で囲まれる開封帯の一部分に指掛手段を設け、前記下シートまたは前記封筒の一の側端部に前記ＲＦＩＤ荷札の挿入口を有する貼り付け用封筒である。
【０００９】
本考案にかかるＲＦＩＤ配送表示セットの使用方法は以下のとおりである。まず、ＲＦＩＤ荷札の表示面に配送先などを記入するとともに、ＲＦＩＤに配送物などの電子情報を記録する。次に貼り付け用封筒の挿入口からＲＦＩＤ荷札を貼り付け用封筒内に収納する。そして、貼り付け用封筒の剥離紙を剥離して、貼り付け用封筒を被配送物に貼り付ける。この状態で被配送物は配送される。配送先では、貼り付け用封筒の指掛部分から開封帯を切離し、ＲＦＩＤ荷札を取り出す。このようにして取り出されたＲＦＩＤ荷札は、表示面の配送先などを書換え、ＲＦＩＤの電子情報を入れ換えて、新たな貼り付け用封筒と一対にして、次の配送に用いられる。
【００１０】
本考案にかかるＲＦＩＤ配送表示セットは、貼り付け用封筒へのＲＦＩＤ荷札の出し入れの容易性、被配送物とＲＦＩＤ荷札の一体化の容易性、貼り付け用封筒に収納した状態でのＲＦＩＤ荷札表示面の視認容易性、配送中におけるＲＦＩＤ荷札の保持の確実性、配送中におけるＲＦＩＤ荷札の汚損防止などの効能を有する。
本考案において、文字等を記入可能で、記入文字等の消去可能な表示面とは、サーマルリライタブル媒体、ホワイトボードの表示面及び紙を含むものである。
【００１１】
本考案にかかるＲＦＩＤ配送表示セットの好ましい実施様態にあっては、文字等を記入可能で、前記記入文字等の消去可能な前記表示面が、加熱による文字記入と加熱による文字消去が可能な熱可逆性シートであってもよい。
本好ましい実施態様にあっては、ＲＦＩＤ荷札の表示面は、サーマルライターによる記録と消去が可能であるので、より使い勝手の良いＲＦＩＤ配送表示セットとなる。
【００１２】
本考案にかかるＲＦＩＤ配送表示セットの他の様態は、ＲＦＩＤ荷札と貼り付け用封筒から構成されるＲＦＩＤ配送表示セットであって、前記ＲＦＩＤ荷札は、ＲＦＩＤのインレイを含むカードに、文字等を記入した粘着ラベルを貼り付けたものであり、前記貼り付け用封筒は、略方形であって上シート、下シートと剥離紙からなり、前記上シートは内容物が透視可能なシートであり、前記下シートの裏面の略全面に粘着剤層を形成して、前記剥離紙を貼り合せて前記粘着剤層を覆い、前記上シートに、前記上シートの対向する２つの外周辺を結び相互の間隔が３ｍｍ以上３０ｍｍ以下の略平行な２本の開封用ミシン目を形成し、前記２本の開封用ミシン目と前記２つの外周辺で囲まれる開封帯の一部分に指掛手段を設け、前記下シートまたは前記封筒の一の側端部に前記ＲＦＩＤ荷札の挿入口を有する貼り付け用封筒である。
【００１３】
本考案にかかるＲＦＩＤ配送表示セットの使用法は、ＲＦＩＤ荷札の文字等記入、消去手段として、粘着ラベルを貼り換えることを除き、本考案の一の態様にかかるＲＦＩＤ配送表示セットの使用法と同じである。
本考案にかかるＲＦＩＤ荷札は、ＲＦＩＤカードに粘着ラベルを貼付けるものであり、特別な道具を使用することなくＲＦＩＤ荷札の表示面に文字などを表示、消去、再表示できるものである。粘着ラベルの貼着、再剥離には格別大きな力は不必要だから、ＲＦＩＤカードへの粘着ラベルの貼着、再剥離にあたり、ＲＦＩＤの機能を損なう事態に至ることはほとんどない。
【００１４】
本考案にかかるＲＦＩＤ配送表示セットは、貼り付け用封筒へのＲＦＩＤ荷札の出し入れの容易性、被配送物とＲＦＩＤ荷札の一体化の容易性、貼り付け用封筒に収納した状態でのＲＦＩＤ荷札表示面の視認容易性、配送中におけるＲＦＩＤ荷札の保持の確実性、配送中におけるＲＦＩＤ荷札の汚損防止などの効能を有する。
【考案の効果】
【００１５】
本考案にかかるＲＦＩＤ荷札は、電子情報を有するＲＦＩＤカードと宛先など視認可能な文字情報を一体化し、電子情報のみならず、文字情報をも書き換え（又は貼り替え）可能なＲＦＩＤ荷札である。
本考案にかかる貼り付け用封筒は、ＲＦＩＤ荷札を収納した状態で、ＲＦＩＤ荷札に記入された宛先などの文字情報が視認可能である。また、開封用ミシン目に囲まれる開封帯部分と指掛手段を有するので、配送先での貼り付け用封筒の開封が容易で、使用後のＲＦＩＤ荷札を傷つけることなく、貼り付け用封筒から取り出すことができる。
【００１６】
上記のＲＦＩＤ荷札と貼り付け用封筒から構成されるＲＦＩＤ配送表示セットは、配送中の目視と電子データの双方による配送管理が可能となるとともに、使用後のＲＦＩＤ荷札は、極めて容易かつ、極めて低い損傷の危険性で取り出し、回収が可能となる。そして電子情報と文字を更新し、新たな貼り付け用封筒とセットにして、次の配送に使用されるので、使用回数を考慮したＲＦＩＤ荷札のコストが激減し、ＲＦＩＤ荷札を使用する配送の一層の普及を図ることができる。
【考案を実施するための最良の形態】
【００１７】
以下、図面に基づき、本考案にかかるＲＦＩＤ配送表示セットをさらに詳細に説明する。この考案の実施例に記載されている部材や部分の寸法、材質、形状、その相対位置などは、とくに特定的な記載のない限りは、この考案の範囲をそれらのみに限定する趣旨のものではなく、単なる説明例にすぎない。
【００１８】
図１はＲＦＩＤ配送表示セットの使用状態を示す説明図である。
貼り付け用封筒２の中にＲＦＩＤ荷札２２を、表示面を上にして収納し、貼り付け用封筒２の裏面の粘着層により被配送品５４に貼り付けている。ＲＦＩＤ荷札２２の表示面に記入された文字は貼り付け用封筒の上シートを通して容易に視認することができる。ＲＦＩＤ荷札２２中のＩＣチップに記録された電子データは、図示しないＲＦＩＤのリーダ／ライタのアンテナ部を接近させることにより容易に読み出しが可能であり、また電子データを付加したり、書き換えたりすることも可能である。
【００１９】
貼り付け用封筒２の上シートには２本の開封用ミシン目６２ａ、６２ｂがある。当該開封用ミシン目と上シートの外周辺に囲まれた開封帯６２ｃの一側端８２は開放端となっており、開封時に使用される指掛手段である。
貼り付け用封筒２の下シートには線状のスリット１８が形成されており、ＲＦＩＤ荷札２２を貼り付け用封筒２に収納する場合のＲＦＩＤ荷札２２の挿入口となる。貼り付け用封筒２が被配送品５４に貼り付けられた状態では、スリット１８で区切られた下シートの２つの部分は、粘着剤層により、固定された被配送物の表面に張り付いている。このため、スリット１８は閉じられた状態となる。従って、被配送品５４の配送中にＲＦＩＤ荷札２２が貼り付け用封筒２から出てしまうことは、通常の配送状態では起こり得ない。
なお、貼り付け用封筒の構成については後に詳細に説明する。
【００２０】
次にＲＦＩＤ荷札２２を説明する。
図２はＲＦＩＤ荷札２２の分解説明図である。ＲＦＩＤ荷札２２はＲＦＩＤのインレイ９を上基材５２と下基材５３で挟み込んでいる。上基材５２と下基材５３の素材は電磁波が透過する素材であれば特に制限はない。通常、合成樹脂（アクリル、ポリエリレンテレフタレート（ＰＥＴ）等）を使用するとよい。上基材５２と下基材５３の固着には、接着、粘着、融着などの公知の固着手段を用いることができる。
【００２１】
上基材５２の上面には、表示シート５１が貼り付けられている。表示シート５１は文字等を記入可能で、当該文字等の消去が可能な表示面を有している。このような表示面としては、リライタブルマーキング技術によるものを挙げることができる。リライタブルマーキングの例として、無色のロイコ型染料と長鎖アルキル基を有する顕消色剤との可逆的な発色および消色反応を利用したロイコ染料を用いた発消色リライタブルマーキングや、高分子薄膜の中に脂肪酸微粒子を分散した透明白濁型リライタブルマーキングを挙げることができる。いずれも熱記録方式のためサーマルヘッドを用いて文字等を記録する。
【００２２】
表示面の他の例は、いわゆるホワイトボードと称される水性又は油性のフェルトペン等で記入し、拭き取りにより消去できる筆記板の表面に設けられるシートを挙げることができる。このようなシートは、シラン系の熱硬化型樹脂やアクリル系の紫外線硬化型樹脂を硬化させて作ることができる。
その他の表示面の一例は、紙である。紙は鉛筆などを用いて記入し、消しゴムなどを用いて当該表示を消去することができる。
以上の表示面の中では、記入消去の機械化（サーマルヘッドライタ／イレイザ）が可能な観点から、リライタブルマーキング技術によるものが好ましい。
【００２３】
このような表示面を有する表示シート５１と上基材５２の固着には、接着、粘着、融着など、表示シートと上基材の素材に応じた公知の固着手段を用いればよい。
【００２４】
インレイ９の一例として以下のものを挙げることができる。厚さ５０μｍの合成紙上にスクリーン印刷により形成したアンテナ９１を、導電性ペーストを用いて接着する。このアンテナ９１の上にＩＣチップ９２を導電的に固定し、回路モジュールとなる部分を作製する。この回路モジュール上に厚さ３００μｍのＥＶＡ系接着シート、および厚さ５０μｍのポリエステルフィルムで保護層を形成し、インレイとする。上記以外のインレイであってもインレイ９として使用可能である。
【００２５】
本考案の他の実施例においては、ＲＦＩＤ荷札は、ＲＦＩＤカード（上基材、インレイと下基材から構成される）に粘着ラベルを貼り付けて構成することができる。粘着ラベルは紙、インク受容加工をした合成樹脂シート等の裏面に粘着剤を塗布して粘着剤層を形成し、必要に応じて当該粘着剤層を剥離紙で覆ったものである。
粘着ラベルの表面にプリンター、筆記等であて先などを記入し、ＲＦＩＤカードに貼り付けて記入済のＲＦＩＤ荷札を作成することができる。ＲＦＩＤ荷札の再使用にあたっては、使用済粘着ラベルを剥離して取り除き、新規に記入したラベルをＲＦＩＤカードに貼り付ければよい。
【００２６】
続いて貼り付け用封筒を説明する。
貼り付け用封筒は、上シートに２本の開封用ミシン目を設け、さらに、当該ミシン目に挟まれる領域、すなわち開封帯に、指掛手段を設けたことを特徴とする。
貼り付け用封筒は、下シートに切り込みを設け、当該切り込みをＲＦＩＤ荷札の挿入口としてもよく、また、貼り付け用封筒外周辺の中の、一辺の全部又は一部を開放状態としておき、ＲＦＩＤ荷札の挿入口としてもよい。
【００２７】
下シートに切り込みを設けた貼り付け用封筒を、以下では四辺固着形と呼ぶ。また、外周辺の中の一辺を開放状態とした貼り付け用封筒を以下では三辺固着形と呼ぶ。
貼り付け用封筒の２つの外周辺と２本のミシン目に囲まれる領域である開封帯の一部分に設ける指掛手段は、
(1) ２本のミシン目を結ぶ切り込み線、あるいは、
(2) 当該開封帯の当該外周辺部分において、上シートと下シートが固着されず、開放状態とした開放端、
を意味する。
【００２８】
上記ＲＦＩＤ荷札の挿入口の選択と、指掛手段の選択により、貼り付け用封筒は以下のように構成することができる。
(1) 四辺固着形の貼り付け用封筒に２本の開封用ミシン目を設け、かつ、当該ミシン目を結ぶ切り込み線を設ける（以下ミシン目間切り込み形という）もの。
(2) 四辺固着形の貼り付け用封筒に２本の開封用ミシン目を設け、かつ、開封帯の端部は非固着（開放）とした（以下ミシン目端開放形という）もの。開放部分は、ミシン目に挟まれる帯状部分の両端部のいずれか一方端部に設ければよいが、両端部に設けてもよい。
(3) 三辺固着形の貼り付け用封筒にミシン目間切り込み形を適用したもの。
(4) 三辺固着形の貼り付け用封筒に上記にミシン目端開放形を適用したものであって、２本のミシン目は、ＲＦＩＤ荷札の挿入口となる非固着の一辺と略平行に設けるもの。開放部分は、ミシン目に挟まれる帯状部分の両端部のいずれか一方端部に設ければよいが、両端部に設けてもよい。
(5) 三辺固着形の貼り付け用封筒に上記にミシン目端開放形を適用したものであって、２本のミシン目は、ＲＦＩＤ荷札の挿入口となる非固着の一辺と略垂直に設けるもの。開放端は、ＲＦＩＤ荷札の挿入口である開放辺の対辺部分に設ける。
【００２９】
貼り付け用封筒において、２本のミシン目の間隔は、通常、３ｍｍ以上３０ｍｍ以下であり、好ましくは５ｍｍ以上２５ｍｍ以下である。この範囲にすれば、容易に上シートを帯状に切り裂くことができる。また、２本のミシン目は平行に形成することが好ましいが、必ずしも厳密な平行線である必要はなく、上シートがミシン目間で帯状に切り裂かれるものであればよい。
ミシン目とは、短い間隔のカットとアンカットを交互に連続した切断線（例えばマイクロミシン線）、相対的に長いカットと相対的に短いアンカットを交互に規則的に連続した切断線（例えば一点鎖線状、二点鎖線状切断線）などを意味する。上シートの材質、強度に応じて適宜のミシン目を使用することができる。例えば、厚さ４０μｍのポリエチレンシートを用いる場合には、カット４ｍｍとアンカット１ｍｍを交互に規則的に連続すればよい。
【００３０】
貼り付け用封筒は、通常略方形である。略方形とは、長方形、正方形、角を丸くした長方形、角を丸くした正方形、これらの辺の一部が外側に拡がった形状、これらの辺の一部が内側にへこんだ形状などをいう。上シートの大きさは、封筒内に収納するＲＦＩＤ荷札の大きさに応じて、任意の大きさにすることができる。
【００３１】
下シートは、シート片とシート片の一の表面に形成された粘着剤層から構成される。
上シートとシート片は、同一形状、同一大きさであることが好ましいが、一方が他方よりも一回り大きくてもよい。特に三辺固着形の場合には、封止を完全にするために、ＲＦＩＤ荷札の挿入口となる一辺部分で、上シートがシート片の端部よりもはみ出す大きさであることが好ましい。
【００３２】
下シートに形成する粘着剤層は、貼り付け用封筒が輸送中にはずれることがない強度になるように設計される。粘着剤層は下シートの全面に形成することが好ましいが、中央部分には粘着剤層が無くてもよく、また、対辺の中間部分を結ぶ帯状部分は粘着剤層がなくてもよい。さらには、粘着剤層は、散点状、格子状に形成されてもよい。
粘着剤層は公知の粘着剤（例えば、アクリル系、ゴム系、ウレタン系など）を使用して形成することができる。好ましくはアクリル系の粘着剤を使用する粘着剤層である。
【００３３】
剥離紙は、公知の剥離紙が使用でき、通常、紙の表面に剥離処理を施したものである。
剥離処理として、シリコン樹脂被覆、フッ素樹脂被覆又はアミンベースの剥離剤の被覆が
使用できる。また、表面にエンボス加工又はブラフト加工若しくは被覆剤に微粒子を添加
する加工を施した紙などが使用出来る。剥離紙には、剥離を容易にするために切断線を形成してもよい。剥離紙はシート片の粘着剤層を全て覆う形状、大きさが必要である。また、シート片及び／又は上シートよりも一回り大きな大きさであってもよい。
【００３４】
上シートと下シートの四周縁部分を固着する固着手段としては、接着剤を使用することができ、また、両シートの素材として熱溶融性の素材を選択する場合には、加熱融着することができる。接着剤としては、両シートの素材に応じた公知の接着剤を使用することができる。公知の接着剤を例示すれば、粘着剤（例えば、アクリル系、ゴム系、ウレタン系など）、ポリビニルアルコール、澱粉などからなる糊などである。
接着する幅は、通常２ｍｍ〜６ｍｍ程度である。また、固着部分は周辺に近いことが好ましいが、必ずしも四周辺を含む必要はなく、加工の便宜に従い、四周辺から内側に一定距離（例えば５ｍｍ程度）離れた線上から内側に上述した幅の部分を固着してもよい。
また、単一のシートを折り返して、上シートと下シートを形成すれば、少なくとも一の辺は固着する必要が無い。
【００３５】
上シートの素材としては、樹脂、トレーシングペーパーなどが使用できる。樹脂は通常、オレフィン系、エステル系の樹脂である。オレフィン系の樹脂としてはポリエチレン、ポリプロピレン、ポリスチレン、ポリ塩化ビニルなどが挙げられる。エステル系の樹脂としては、ポリエチレンテレフタレート（ＰＥＴ）、ポリブチレンテレフタレートなどが挙げられる。強度、柔軟性、加熱融着の便宜、調達の容易性などからポリエチレンが好ましい。さらに、例えばＬ乳酸ポリマーなどの生分解性樹脂を使用することも出来る。
シート片の素材としては、紙、また、前記上シートと同一の素材を用いることができる。紙としてはコート紙、上質紙、クラフト紙、その他の紙類が使用できる。
【００３６】
四辺固着形の場合に、下シートに設けるＲＦＩＤ荷札の挿入口は、適宜の形状の挿入口が使用できる。例えばシート片にスリットを設ける形状である。また、帯状、星状の切り抜きを設けてもよい。スリットを設ける場合には、当該スリットは、前記剥離紙の切り込み線と重なる位置にあってもよく、異なる位置にあってもよい。加工の容易性から重なる位置に設けることが好ましい。
ミシン目切り込み形にあっては、切り込みは、開封帯の両端部のいずれか一端部にある固着部分を除く位置又は両端部の固着部分を除く位置にあればよい。
【００３７】
以下に、貼り付け用封筒の実施例を挙げる。
（貼り付け用封筒−１）
図３は、貼り付け用封筒−１の説明図である。（ａ）は表面図、（ｂ）は底面図、（ｃ）は断面図である。貼り付け用封筒−１は、四辺固着形及びミシン目間切り込み形貼り付け用封筒の実施例である。
【００３８】
貼り付け用封筒−１（１）は上シート１１、下シート１７と剥離紙１６からなる。上シート１１は透明なポリエチレンシート（厚さ４０μｍ）であり、その形状は長方形である。下シート１７は、シート片１２と粘着剤層１３からなる。シート片１２は、上シート１１と材質、厚さ、形状及び大きさが同一である。シート片１２の下面全面に粘着剤層１３を形成している。粘着剤はアクリル系の樹脂である。
剥離紙１６は、上質紙である剥離原紙１４の一方表面にシリコン樹脂層からなる剥離剤層１５を形成したものである。シート片１２の粘着剤層１３に剥離紙１６を貼り合せている。
【００３９】
３１、３２は上シート１１の長辺であり、３３、３４は短辺である。上シート１１と下シート１７は重ね合わされ、固着部２１で加熱融着されている。固着部２１は、長辺３１、３２と短辺３３、３４から内側に４ｍｍの位置から開始し、さらに内側に４ｍｍの幅であり、四周縁を取り囲んでいる。上シート１１には２本のミシン目６１ａ、６１ｂが相互に平行して形成されている。また、ミシン目６１ａ、６１ｂは短辺３４と平行であり、長辺３１と長辺３２間を結んでいる。ミシン目６１ａ、６１ｂはカット４ｍｍ、アンカット１ｍｍが規則的に連続している。相互の間隔は２０ｍｍである。７１は指掛手段である切り込み線であり、ミシン目６１ａとミシン目６１ｂを結んでいる。
剥離紙１６には、剥離のための切り込み１９が形成されている。シート片１２にはＲＦＩＤ荷札の挿入口であるスリット１８が形成されている。
切り込み１９とスリット１８は同一線上に重なって形成されているが、底面図（ｂ）、断面図（ｃ）では、理解の容易化のためスリット１８の位置を紙面左側に移動して図示している。
【００４０】
貼り付け用封筒−１（１）の使用法を説明する。まず、スリット１８からＲＦＩＤ荷札２２を袋部分に挿入する。次に切り込み１９を手掛かりにして、剥離紙１６を取り除き、被配送品の表面に貼り付け用封筒−１を貼り付ける。スリット１８は下シートの粘着剤層により封止される。上シート１１は透明であり、ＲＦＩＤ荷札に記載された文字が視認できる。
【００４１】
被配送品受取人は、切り込み線７１を指掛かりにして、ミシン目６１ａ、６１ｂに挟まれた開封帯６１ｃを切り取る。これにより形成される上シートの隙間からＲＦＩＤ荷札２２を取り出す。通常、ＲＦＩＤ荷札２２には、何ら折り曲げ、引裂きなど破壊作用を与える力がかかることなく取り出し作業を行うことができる。
なお、ミシン目６１ａ、６１ｂは、短辺３３と短辺３４間を結ぶ方向に設けてもよい。
本例では、上シートの寸法は、１２５ｍｍ×９５ｍｍとした。
【００４２】
（貼り付け用封筒−２）
図４は、貼り付け用封筒−２の説明図である。（ａ）は表面図、（ｂ）は底面図である。貼り付け用封筒−２（２）は、四辺固着形及びミシン目端開放形貼り付け用封筒の実施例である。
貼り付け用封筒−１と同一部分、同一部材には同一の図番号を付与している。また、上シート１１、下シート１７と剥離紙１６の材料、大きさおよび積層構造は、貼り付け用封筒−１と同一である。
【００４３】
上シート１１には２本のミシン目６２ａ、６２ｂが相互に平行に形成されている。また、ミシン目６２ａ、６２ｂは短辺３８と平行であり、長辺３５と長辺３６間を結んでいる。ミシン目６２ａ、６２ｂはカット４ｍｍ、アンカット１ｍｍが規則的に連続している。その間隔は２０ｍｍである。
ミシン目６２ａ、６２ｂに挟まれる開封帯６２ｃの両端部８２、７２のなかの一方端部８２は、固着部２１が形成されず開放端（指掛手段）となっている。
【００４４】
貼り付け用封筒−２（２）の使用法を説明する。まず、スリット１８からＲＦＩＤ荷札を袋部分に挿入する。次に切り込み１９を手掛かりにして、剥離紙１６を取り除き、被配送品の表面に貼り付け用封筒−２を貼り付ける。スリット１８は下シートの粘着剤層により封止される。続いて、被配送品を届け先に配送する。
被配送品受取人は、開放端８２を指掛かりにして、ミシン目６２ａ、６２ｂに挟まれた開封帯６２ｃを切り取る。これにより形成される上シートの隙間からＲＦＩＤ荷札を取り出す。通常、ＲＦＩＤ荷札２２には、何ら折り曲げ、引裂きなど破壊作用を与える力がかかることなく取り出し作業を行うことができる。
【００４５】
なお、開放端（指掛手段）は他方端部７２部分に形成してもよい。また、両端部８２、７２共に固着部２１を設けない開放端（指掛手段）としてもよい。さらに、ミシン目６２ａ、６２ｂは、短辺３７と短辺３８間を結ぶ方向に設けてもよい。
本例では、上シートの寸法は、１７０ｍｍ×１９５ｍｍとした。
【００４６】
（貼り付け用封筒−３）
図５は、貼り付け用封筒−３の説明図である。（ａ）は表面図、（ｂ）は底面図、（ｃ）は断面図である。貼り付け用封筒−３（３）は、三辺固着形及びミシン目間切り込み形貼り付け用封筒の実施例である。
貼り付け用封筒−１と同一部分、同一部材には同一の図番号を付与している。また、上シート１１、下シート１７と剥離紙１６の材料は貼り付け用封筒−１と同一である。
【００４７】
３９、４０は上シート１１の長辺であり、４１、４２は短辺である。上シート１１と下シート１７は重ね合わされ、固着部２１で加熱融着されている。固着部２１は、長辺３９、４０と短辺４２の周囲にある。短辺４１は固着部の無い開放端となっている。開放端はＲＦＩＤ荷札の挿入口である。
開放端では、上シート１１の短辺４１と剥離紙１６の辺２３が重なり、シート片１２の辺２４は短辺４１から内側に１０ｍｍの位置にある。これは、ＲＦＩＤ荷札挿入時と剥離紙剥離時の指掛とし、さらに封止を完全にするためである。
【００４８】
上シート１１には２本のミシン目６３ａ、６３ｂが相互に平行に形成されている。また、ミシン目６３ａ、６３ｂは短辺４２と平行であり、長辺３９と長辺４０間を結んでいる。７３は指掛手段である切り込み線であり、ミシン目６３ａとミシン目６３ｂを結んでいる。
本例では、上シートの寸法は、２５０ｍｍ×１４５ｍｍとした。
上記説明した以外は、貼り付け用封筒−３の積層構造などは、貼り付け用封筒−１と同一である。
【００４９】
貼り付け用封筒−３（３）の使用法を説明する。まず、開放辺である短辺４１からＲＦＩＤ荷札２２を袋部分に挿入する。次に剥離紙１６を取り除き、短辺４１側を１０〜２０ｍｍ程度粘着剤側に折り返して、被配送品の表面に、貼り付け用封筒−３を貼り付ける。
図６は、貼り付け用封筒−３の貼り付け状態を示す説明図である。
上シートの短辺４１の周縁（矢印２６で示す）がシート片１２の粘着剤層１３に粘着し、貼り付け用封筒−３が封止される。図中２５は被配送品の表面である。
【００５０】
上シート１１は透明であり、ＲＦＩＤ荷札記載文字が視認できる。被配送品受取人は、切り込み線７３を指掛かりにして、ミシン目６３ａ、６３ｂに挟まれた開封帯６３ｃを切り取る。これにより形成される上シートの隙間からＲＦＩＤ荷札２２を取り出す。通常、ＲＦＩＤ荷札２２には、何ら折り曲げ、引裂きなど破壊作用を与える力がかかることなく取り出し作業を行うことができる。
【００５１】
なお、ミシン目６３ａ、６３ｂは、短辺４１と短辺４２間を結ぶ方向に設けてもよい。この場合には、切り込み線７３は、折り込み封止状態にあっても表面に表れるように、開放辺から一定距離（例えば３０ｍｍ程度）以上を離して形成される。
【００５２】
（貼り付け用封筒−４）
図７は、貼り付け用封筒−４の説明表面図である。貼り付け用封筒−４（４）は、三辺固着形及びミシン目端開放形貼り付け用封筒の一の実施例である。
貼り付け用封筒−３と同一部分、同一部材には同一の図番号を付与している。また、上シート１１、下シート１７と剥離紙１６の材料、大きさ、積層構造は貼り付け用封筒−３と同一である。
上シート１１には２本のミシン目６４ａ、６４ｂが相互に平行に形成されている。また、ミシン目６４ａ、６４ｂは短辺４６と平行であり、長辺４３と長辺４４間を結んでいる。ミシン目６４ａ、６４ｂはカット４ｍｍ、アンカット１ｍｍが規則的に連続している。その間隔は２０ｍｍである。
ミシン目６４ａ、６４ｂに挟まれる開封帯６４ｃの両端部８４、７４のなかの一方端部８４は、固着部２１が形成されず開放端（指掛手段）となっている。
【００５３】
貼り付け用封筒−４の使用法を説明する。開放辺である短辺４５からＲＦＩＤ荷札を袋部分に挿入する。次に剥離紙を取り除き、被配送品の表面に貼り付け用封筒−４を貼り付け、被配送品を届け先に配送する。
被配送品受取人は、指掛手段である開放端８４に指を掛け、ミシン目６４ａ、６４ｂに挟まれた開封帯６４ｃを切り取る。これにより形成される上シートの隙間からＲＦＩＤ荷札を取り出す。通常、ＲＦＩＤ荷札２２には、何ら折り曲げ、引裂きなど破壊作用を与える力がかかることなく取り出し作業を行うことができる。
なお、開放端（指掛手段）は他方端部７４部分に形成してもよい。また、両端部８４、７４共に固着部２１を設けない開放端（指掛手段）としてもよい。
【００５４】
（貼り付け用封筒−５）
図８は、貼り付け用封筒−５の説明表面図である。貼り付け用封筒−５（５）は、三辺
固着形及びミシン目端開放形貼り付け用封筒の他の実施例である。
貼り付け用封筒−３と同一部分、同一部材には同一の図番号を付与している。また、上シート１１、下シート１７と剥離紙１６の材料、大きさ、積層構造は貼り付け用封筒−３と同一である。
上シート１１には２本のミシン目６５ａ、６５ｂが相互に平行して形成されている。また、ミシン目６５ａ、６５ｂは長辺４７と平行であり、短辺４９と短辺５０間を結んでいる。ミシン目６５ａ、６５ｂはカット４ｍｍ、アンカット１ｍｍが規則的に連続している。その間隔は２０ｍｍである。
ミシン目６５ａ、６５ｂに挟まれる開封帯６５ｃの一方端部８５は、固着部２１が形成されず開放端（指掛手段）となっている。また、他方端部７５は開放端である短辺４９と共通であり、同じく開放されている。
【００５５】
貼り付け用封筒−５の使用法を説明する。開放辺である短辺４９からＲＦＩＤ荷札を袋部分に挿入する。次に剥離紙を取り除き、被配送品の表面に貼り付け用封筒−５を貼り付け、被配送品を届け先に配送する。
被配送品受取人は、開放端８５を指掛かりにして、ミシン目６５ａ、６５ｂに挟まれた開封帯を切り取る。これにより形成される上シートの隙間からＲＦＩＤ荷札を取り出す。通常、ＲＦＩＤ荷札２２には、何ら折り曲げ、引裂きなど破壊作用を与える力がかかることなく取り出し作業を行うことができる。
【産業上の利用可能性】
【００５６】
本考案にかかる配送表示セットは、例えば、郵便や宅配便などの宛名表示に使用することができる。
【図面の簡単な説明】
【００５７】
【図１】配送表示セットの使用状態を示す説明図である。
【図２】ＲＦＩＤ荷札２２の分解説明図である。
【図３】貼り付け用封筒−１の説明図であり、（ａ）は表面図、（ｂ）は底面図、（ｃ）は断面図である。
【図４】貼り付け用封筒−２の説明図であり、（ａ）は表面図、（ｂ）は底面図である。
【図５】貼り付け用封筒−３の説明図であり、（ａ）は表面図、（ｂ）は底面図、（ｃ）は断面図である。
【図６】貼り付け用封筒−３の貼り付け状態を示す説明図である。
【図７】貼り付け用封筒−４の説明表面図である。
【図８】貼り付け用封筒−５の説明表面図である。
【符号の説明】
【００５８】
１  貼り付け用封筒−１
２  貼り付け用封筒−２
３  貼り付け用封筒−３
４  貼り付け用封筒−４
５  貼り付け用封筒−５
８  ＲＦＩＤカード
９  インレイ
１１  上シート
１２  シート片
１３  粘着剤層
１６  剥離紙
１７  下シート
１８  挿入口であるスリット
２０  四周辺
２１  接着部
２２  ＲＦＩＤ荷札
６１ａ、６１ｂ、６２ａ、６２ｂ、６３ａ、６３ｂ、６４ａ、６４ｂ、６５ａ、６５ｂ  ミシン目
６１ｃ、６２ｃ、６３ｃ、６４ｃ、６５ｃ  開封帯
７１、７３  指掛手段である切り込み線
８２、８４、８５  指掛手段である開放端
９４、９５  挿入口である開放辺
【図１】
0003110268.tif 000003
【図２】
0003110268.tif 000004
【図３】
0003110268.tif 000005
【図４】
0003110268.tif 000006
【図５】
0003110268.tif 000007
【図６】
0003110268.tif 000008
【図７】
0003110268.tif 000009
【図８】
0003110268.tif 000010